(57)【特許請求の範囲】
【請求項１】
上枠に固定設置されるベースと、
前記ベースが有する軸体に対して回動自在に設置される調整アームと、
前記調整アームの先端に回転自在に設置されるローラと、
一端側に弾性部材が設置されるとともに他端側に長孔と係止孔とで構成される案内孔が穿設されるラッチアームと、
を備え、前記ラッチアームの一端側が弾性部材を介して前記調整アームの中間位置に回動自在に設置され、且つ、前記ラッチアームの他端側が前記ベースに固定設置される係止ピンに係り止めされることによって前記案内孔の形状に沿って移動し得るように構成されることにより、
２枚扉が開いた状態のときには、前記弾性部材の付勢力を受けた前記ラッチアームの移動によって前記係止ピンが前記係止孔に係り止めされて前記調整アームは突出状態となり、
先閉扉が閉鎖する前に後閉扉が閉鎖しないように、突出状態にある前記調整アームが前記ローラを介して後閉扉と当接することによって後閉扉を先閉扉の動作範囲から退避させ、
先閉扉が前記ラッチアームを押圧し、前記弾性部材の付勢力に抗して前記調整アームを上枠側に回動させることによって先閉扉の動作範囲内への後閉扉の侵入を許容する扉閉鎖順位調整器であって、
前記ラッチアームは、前記一端側に位置調整機構を備えており、前記位置調整機構の操作によって前記調整アームとの位置関係を調整自在であることを特徴とする扉閉鎖順位調整器。
【請求項２】
請求項１に記載の扉閉鎖順位調整器において、
前記位置調整機構は、
前記ラッチアームの一端側に突設されるラッチアーム支点軸と、
前記ラッチアーム支点軸に対して傾動自在に接続するスライドコマと、
前記調整アームの中間位置に回転運動のみ自在に設置されるとともに前記スライドコマに螺合して前記スライドコマの傾動運動を調整可能な調整ねじと、
によって構成されていることを特徴とする扉閉鎖順位調整器。
【請求項３】
請求項２に記載の扉閉鎖順位調整器において、
前記調整ねじは、前記調整アームに対して止め輪を用いて回転運動のみ自在に接続されていることを特徴とする扉閉鎖順位調整器。
【請求項４】
請求項２に記載の扉閉鎖順位調整器において、
前記調整ねじは、前記調整アームに対してカシメ加工を施されることによって回転運動のみ自在に接続されていることを特徴とする扉閉鎖順位調整器。
【請求項５】
請求項１〜４のいずれか１項に記載の扉閉鎖順位調整器において、
前記ラッチアームには、前記先閉扉との接触箇所に衝撃吸収部材が設置されていることを特徴とする扉閉鎖順位調整器。
【発明の詳細な説明】
【技術分野】
【０００１】
本発明は、２枚扉の閉鎖順位を調整するために用いられる扉閉鎖順位調整器の改良に関するものである。
【背景技術】
【０００２】
従来から、２枚１組の開閉扉を順序よく閉鎖する装置として、扉閉鎖順位調整器が知られている。例えば、下記特許文献１には、この種の装置における基本的な構成を有する扉閉鎖順位調整器が開示されている。かかる扉閉鎖順位調整器は、ベースとしての取付枠と、この取付枠に軸体を介して回動自在に軸支されて水平方向に移動する調整アームとしての調整杆と、取付枠と調整杆とにリンク接続するラッチアームとしての掛止杆とによって構成されており、後閉扉の対向位置に当接するように調整アームとしての調整杆が突設配置されるという構成を有している。
【０００３】
このような構成の扉閉鎖順位調整器によれば、先閉扉と後閉扉よりなる２枚１組の開閉扉が閉鎖されるときには、後閉扉が適宜の角度に設定された調整アーム（調整杆）の先端部に当接して規制されるので、先閉扉が先に閉まって行くことができる。そして、先閉扉の先端部がラッチアーム（掛止杆）の胴部を押圧しながら閉まって行くと、それと同時に調整アーム（調整杆）は後閉扉の内側を摺動するので、調整アーム（調整杆）は閉鎖方向へ回動し、後閉扉は摺動する調整アーム（調整杆）の規制を受けつつ閉まって行くようになっている。
【０００４】
【特許文献１】特公昭５４−９８２７号公報
【特許文献２】特開平１０−１９６２１６号公報
【発明の開示】
【発明が解決しようとする課題】
【０００５】
しかしながら、上記特許文献１に開示されるような従来の扉閉鎖順位調整器には、ラッチアームと先閉扉とが衝突することによって衝突音が発生するという問題が存在していた。すなわち、従来の扉閉鎖順位調整器では、２枚の開閉扉が完全に閉鎖されたときには、後閉扉のみが調整アームの先端部に当接した状態となっており、先閉扉とラッチアームとの間には隙間が生じている。この状態から後閉扉を開放すると、先閉扉とラッチアームは衝突を起こしてしまうので、騒音が発生してしまう。また、騒音が発生してしまうということは、好ましくない負荷が扉閉鎖順位調整器に対して加わっているのであり、装置寿命の面においても問題がある。
【０００６】
なお、扉閉鎖順位調整器の業界においては、このような従来の問題を解消するべく、種々の改良を行った扉閉鎖順位調整器が提案されてきているが、これらは十分なものとはいえず、依然改良の余地が残されている。
【０００７】
例えば、上記特許文献２には、アームと扉との衝突による衝突音の発生防止を目的として、アームにねじ等の突起物を設ける構造を採用した扉閉鎖順位調整器が開示されている。この突起物は、先閉扉が閉じた状態で、アームをベースに対して一直線状に保持すべく設置されるものである。そして、先閉扉が閉じた状態で後閉扉のみを開閉させる場合、アームは突起物を介して先閉扉によって支持されるので、アームは揺動することがない。したがって、上記特許文献２に記載の扉閉鎖順位調整器によれば、後閉扉の回動に伴うアームと先閉扉との衝突や、アームと後閉扉との衝突による衝突音の発生を防止することができるとされている。
【０００８】
しかしながら、上記特許文献２に記載の扉閉鎖順位調整器のように、繰り返し荷重が加わる箇所にねじ等の突起物を設けることは、好ましいことではない。また、このねじは、アームと扉との間隔を調整する役割も有しているが、扉を閉鎖した状態で調整することができないので、操作性の面でも問題がある。
【０００９】
本発明は、上述した課題の存在に鑑みて成されたものであって、その目的は、騒音発生を防止することはもちろんのこと、装置調整を行う際の操作性が高く、しかも長寿命で、どのような型式の２枚扉に対しても容易に取付・調整作業を行うことができる新たな扉閉鎖順位調整器を提供することにある。
【課題を解決するための手段】
【００１０】
以下、本発明について説明する。なお、本発明の理解を容易にするために添付図面の参照番号を括弧書きにて付記するが、それにより本発明が図示の形態に限定されるものではない。
【００１１】
本発明に係る扉閉鎖順位調整器は、上枠（１０）に固定設置されるベース（１１）と、前記ベース（１１）が有する軸体（１２）に対して回動自在に設置される調整アーム（２１）と、前記調整アーム（２１）の先端に回転自在に設置されるローラ（２２）と、一端側に弾性部材（３２）が設置されるとともに他端側に長孔（３３ａ）と係止孔（３３ｂ）とで構成される案内孔（３３）が穿設されるラッチアーム（３１）と、を備え、前記ラッチアーム（３１）の一端側が弾性部材（３２）を介して前記調整アーム（２１）の中間位置に回動自在に設置され、且つ、前記ラッチアーム（３１）の他端側が前記ベース（１１）に固定設置される係止ピン（１４）に係り止めされることによって前記案内孔（３３）の形状に沿って移動し得るように構成されることにより、２枚扉が開いた状態のときには、前記弾性部材（３２）の付勢力を受けた前記ラッチアーム（３１）の移動によって前記係止ピン（１４）が前記係止孔（３３ｂ）に係り止めされて前記調整アーム（２１）は突出状態となり、先閉扉（４２）が閉鎖する前に後閉扉（４１）が閉鎖しないように、突出状態にある前記調整アーム（２１）が前記ローラ（２２）を介して後閉扉（４１）と当接することによって後閉扉（４１）を先閉扉（４２）の動作範囲から退避させ、先閉扉（４２）が前記ラッチアーム（３１）を押圧し、前記弾性部材（３２）の付勢力に抗して前記調整アーム（２１）を上枠（１０）側に回動させることによって先閉扉（４２）の動作範囲内への後閉扉（４１）の侵入を許容する扉閉鎖順位調整器であって、前記ラッチアーム（３１）が、前記一端側に位置調整機構（３５）を備えており、前記位置調整機構（３５）の操作によって前記調整アーム（２１）との位置関係を調整自在であることを特徴とする。
【００１２】
本発明に係る扉閉鎖順位調整器において、前記位置調整機構（３５）は、前記ラッチアーム（３１）の一端側に突設されるラッチアーム支点軸（３６）と、前記ラッチアーム支点軸（３６）に対して傾動自在に接続するスライドコマ（３７）と、前記調整アーム（２１）の中間位置に回転運動のみ自在に設置されるとともに前記スライドコマ（３７）に螺合して前記スライドコマ（３７）の傾動運動を調整可能な調整ねじ（３８）と、によって構成されていることとすることができる。
【００１３】
また、本発明に係る扉閉鎖順位調整器において、前記調整ねじ（３８）は、前記調整アーム（２１）に対して止め輪（３９）を用いて回転運動のみ自在に接続されていることとすることができる。
【００１４】
さらに、本発明に係る扉閉鎖順位調整器において、前記調整ねじ（３８）は、前記調整アーム（２１）に対してカシメ加工を施されることによって回転運動のみ自在に接続されていることとすることができる。
【００１５】
またさらに、本発明に係る扉閉鎖順位調整器において、前記ラッチアーム（３１）には、前記先閉扉（４２）との接触箇所に衝撃吸収部材（３４）が設置されていることとすることができる。
【００１６】
なお、上記発明の概要は、本発明の必要な特徴の全てを列挙したものではなく、これらの特徴群のサブコンビネーションもまた発明となり得る。
【発明の効果】
【００１７】
本発明によれば、騒音発生を防止することはもちろんのこと、装置調整の操作性が高く、しかも長寿命で、どのような型式の２枚扉に対しても容易に取付・調整作業を行うことができる新たな扉閉鎖順位調整器を提供することができる。かかる新たな扉閉鎖順位調整器の実現によって、従来技術に対してランニングコストやメンテナンス費用、作業コスト、人件費などのコスト削減を行うことが可能となる。
【発明を実施するための最良の形態】
【００１８】
以下、本発明を実施するための好適な実施形態について、図面を用いて説明する。なお、以下の実施形態は、各請求項に係る発明を限定するものではなく、実施形態の中で説明されている特徴の組み合わせの全てが発明の解決手段に必須であるとは限らない。
【００１９】
図１は、本実施形態に係る扉閉鎖順位調整器の設置状態を例示する外観上面図であり、２枚の扉が開放されて調整アームが突出状態となっている場合を示している。また、図２Ａは、２枚の扉が閉鎖された状態における本実施形態に係る扉閉鎖順位調整器の設置状態を例示する外観上面図である。さらに、図２Ｂは、図２Ａで示す本実施形態に係る扉閉鎖順位調整器の外観正面図である。
【００２０】
本実施形態に係る扉閉鎖順位調整器は、上枠１０に固定設置されるベース１１と、ベース１１が有する軸体１２に対して回動自在に設置される調整アーム２１と、調整アーム２１の先端に回転自在に設置されるローラ２２と、一端側に弾性部材３２が設置されるとともに他端側に長孔３３ａと係止孔３３ｂとで構成される案内孔３３が穿設されるラッチアーム３１と、を備えている。
【００２１】
ベース１１は、上枠１０に固定設置されることによって本実施形態に係る扉閉鎖順位調整器の設置基準となる部材である。すなわち、ベース１１は、その胴体部中に複数の取付用孔１３を備えており、これら取付用孔１３を利用して上枠１０への確実な固定が実現されている。また、ベース１１は、上枠１０への固定設置時に軸線方向が鉛直方向に延びるように形成される軸体１２と係止ピン１４を備えている。このうち、軸体１２は、後述する調整アーム２１と回動自在に接続することによって、調整アーム２１の回動動作における回動中心軸としての役割を担っている。一方、係止ピン１４は、後に詳述するラッチアーム３１の案内孔３３の内側壁面と摺接することによって、この案内孔３３の形状に沿ったラッチアーム３１の移動運動を案内している。
【００２２】
調整アーム２１は、上枠１０側から扉の開く方向に突出して後閉扉４１を支える部材であるため、縦断面が矩形状に形成された構造材として構成されている（図２Ａおよび図２Ｂ参照）。そして、この調整アーム２１は、ベース１１に対して軸体１２を介して回動自在に設置されている。また、調整アーム２１の先端側には、ローラ２２が回転自在に設けられており、後閉扉４１とのスムーズな摺動接触が実現できるようになっている。
【００２３】
ラッチアーム３１は、一端側が弾性部材３２を介して調整アーム２１の中間位置に回動自在に設置されており、一方、他端側がベース１１に固定設置される係止ピン１４に係り止めされることによって案内孔３３の形状に沿って移動し得るように構成されている。また、ラッチアーム３１は、一端側に位置調整機構３５を備えており、この位置調整機構３５の操作によって、調整アーム２１との位置関係が調整自在となっている。
【００２４】
ここで、本実施形態に係る扉閉鎖順位調整器の構成部材で最も新規な特徴を有する位置調整機構３５について説明すると、位置調整機構３５は、ラッチアーム３１の一端側に突設されるラッチアーム支点軸３６と、ラッチアーム支点軸３６に対して傾動自在に接続するスライドコマ３７と、調整アーム２１の中間位置に回転運動のみ自在に設置される調整ねじ３８と、から構成されている。そして、ラッチアーム支点軸３６は、ラッチアーム３１に付勢力を及ぼすコイルバネ等の弾性部材３２が設置される部材でもあり、このラッチアーム支点軸３６を回動中心としてラッチアーム３１は回動自在となっている。
【００２５】
また、ラッチアーム３１は、ラッチアーム支点軸３６に対して傾動自在に接続するスライドコマ３７を有しており、このスライドコマ３７を介して調整アーム２１の中間位置に固定されている。そして、このスライドコマ３７の固定位置は調整することができるようになっている。すなわち、調整アーム２１の中間位置に設置される調整ねじ３８は、止め輪３９を用いて設置されており、その設置場所で回転運動のみ自在とされている。この調整ねじ３８を左右いずれかの方向に回転させることによって、スライドコマ３７は調整ねじ３８のねじ軸方向に沿って運動することができる。なお、一般的な調整ねじ３８は、ねじ溝が右ねじに切ってあるので、調整ねじ３８を正面（例えば、図２Ａにおける紙面上側から下側を見る方向）から見て右回転させると、スライドコマ３７は手前側（例えば、図２Ａにおける紙面上側）に移動し、逆に左回転させると奥側（例えば、図２Ａにおける紙面下側）に移動する。
【００２６】
ちなみに、本実施形態で例示した調整ねじ３８については、止め輪３９を用いて設置した場合を例示したが、この接続手段についてはあらゆる手段に変更することが可能であり、例えば、調整アーム２１に対してカシメ加工を施すことによっても、調整ねじ３８を回転運動のみ自在に接続することができる。
【００２７】
一方、ラッチアーム３１が他端側に備える案内孔３３は、長孔３３ａと係止孔３３ｂとで構成されている。このうち、長孔３３ａについては、図２Ａで示されるように、先閉扉４２と後閉扉４１とが完全に閉鎖された状態で調整アーム２１が２つの扉面と略平行状態にあるときから、２つの扉が開放されて調整アーム２１が完全に突出する手前までのラッチアーム３１の回動動作を案内する役割を果たしている。一方、係止孔３３ｂについては、図１で示すように、調整アーム２１が完全に突出状態となるときに係止ピン１４が係止孔３３ｂ内に係り止めされ、ラッチアーム３１による調整アーム２１の支持が実現することとなる。
【００２８】
なお、ラッチアーム３１の胴体正面部は、先閉扉４２との接触箇所に当たるので、樹脂やゴム等の衝撃吸収部材３４を設置することが好適である。この衝撃吸収部材３４を採用することによって、ラッチアーム３１の変形や破損などの不具合発生をほとんどなくすことができ、さらに騒音の発生をも防止することが可能となる。
【００２９】
以上、本実施形態に係る扉閉鎖順位調整器の構成について説明した。次に、図１乃至図２Ｂを用いて、本実施形態に係る扉閉鎖順位調整器の動作説明を行う。
【００３０】
２枚の扉が開いた初期の状態において、調整アーム２１は、後閉扉４１を当接支持することによって、後閉扉４１が先閉扉４２よりも先に閉まっていくことを防いでいる（図１の状態参照）。すなわち、本実施形態に係る扉閉鎖順位調整器では、先閉扉４２が閉鎖する前に後閉扉４１が閉鎖しないように、突出状態にある調整アーム２１がローラ２２を介して後閉扉４１と当接することにより、後閉扉４１を先閉扉４２の動作範囲（符号αで示される一点鎖線の円弧の内側）から退避させている。なお、この調整アーム２１の突出状態は、ラッチアーム３１の一端側に設置された弾性部材３２による付勢力と、ラッチアーム３１の他端側に穿接された係止孔３３ｂへの係止ピン１４の係り止めにより実現されている。そして、先閉扉４２が符号αで示される一点鎖線の軌跡を描いて回動すると、調整アーム２１と先閉扉４２との間には、ラッチアーム３１が設置されているので、調整アーム２１はラッチアーム３１を介した先閉扉４２による押圧を受けることになる。
【００３１】
先閉扉４２が閉扉方向に回動してラッチアーム３１への押圧が進むと、ラッチアーム３１側では、係止孔３３ｂへの係止ピン１４の係り止めが解除されて係止ピン１４が長孔３３ａ側に摺動移動するとともに、弾性部材３２の付勢力に抗した調整アーム２１の押圧が進む。
【００３２】
なお、先閉扉４２は、ラッチアーム３１の胴部正面を押圧摺動することによって閉扉方向に移動していくことになるが、このとき、ラッチアーム３１の胴部正面には、樹脂やゴム等から成る衝撃吸収部材３４が設置されているので、ラッチアーム３１を含めた扉閉鎖順位調整器への負荷影響を最小限に抑えることができ、さらには騒音の発生をも防止できる。さらに、ラッチアーム３１は先閉扉４２との接触面がなだらかな形状に形成されているので、スムーズで静かな閉扉動作が実現されている。
【００３３】
このとき、調整アーム２１については、先閉扉４２によるラッチアーム３１の押圧動作と同時に後閉扉４１の内側をローラ２２を介して摺動することになるので、調整アーム２１は上枠１０の方向へと回動移動することになる。すなわち、先閉扉４２がラッチアーム３１を押圧して弾性部材３２の付勢力に抗して調整アーム２１を上枠１０側に回動させるので、先閉扉４２の動作範囲（符号αで示される一点鎖線の円弧の内側）内への後閉扉４１の侵入が許容されることになる。そして、後閉扉４１は摺動する調整アーム２１の規制を受けながら徐々に閉まって行き、最終的に２枚扉の閉鎖が完了する。すると、本実施形態に係る扉閉鎖順位調整器は、図２Ａおよび図２Ｂで示されるように、調整アーム２１が先閉扉４２および後閉扉４１の扉面と略平行方向に保持される。そして、調整アーム２１については後閉扉４１と非接触状態となり、ラッチアーム３１については先閉扉４２と当接して２つの扉の好適な扉閉鎖位置を規定することになる。
【００３４】
なお、本実施形態に係る扉閉鎖順位調整器では、ラッチアーム３１の一端側に設置された位置調整機構３５を操作することによって、上述した２つの扉と扉閉鎖順位調整器との位置関係を好適な状態に調整することが可能となっている。この調整状態について、図３Ａ、図３Ｂおよび図３Ｃを用いて説明する。
【００３５】
例えば、図３Ａで示すように、閉鎖時における２つの扉位置と、本実施形態に係る扉閉鎖順位調整器の取付位置との距離Ａが大きい場合には、位置調整機構３５の調整ねじ３８を右回転させることによってスライドコマ３７を手前側（図３Ａにおける紙面上側）に移動させ、調整アーム２１が２つの扉面と略平行状態にあるときのラッチアーム３１の位置を２つの扉方向に突出させるように調整する。このような調整を行うことによって、扉閉鎖順位調整器の取付作業をある程度の取付誤差を持って行うことが可能となる。また、調整ねじ３８の操作についても、作業スペースが確保できる位置に設置されているので、操作が非常に容易である。すなわち、先閉扉４２を閉鎖した状態のまま後閉扉４１のみを開放すれば、調整ねじ３８の正面側が開放されるので、調整ねじ３８の回転操作が非常に容易である。したがって、本実施形態に係る扉閉鎖順位調整器によれば、従来の装置に比べて格段に取付・調整作業が容易になるため、作業・調整時間の短縮化によるコスト削減の効果を得ることができる。
【００３６】
なお、位置調整機構３５の操作は、図３Ｂで示すように、閉鎖時における２つの扉位置と本実施形態に係る扉閉鎖順位調整器の取付位置との距離Ａが中程度の場合、および、図３Ｃで示すように、閉鎖時における２つの扉位置と本実施形態に係る扉閉鎖順位調整器の取付位置との距離Ａが非常に小さい場合であっても、上述した方法により調整することができる。例えば、図３Ｂの場合は調整ねじ３８のちょうど中間の位置にスライドコマ３７がくるように調整すればよいし、図３Ｃの場合には調整ねじ３８の奥側（図３Ｃにおける紙面下側）にスライドコマ３７がくるように調整すればよい。以上のような調整を行うことによって、ラフな取り付けを行ったとしても、２つの扉と扉閉鎖順位調整器との位置関係を好適な状態に容易に維持することができる。
【００３７】
以上、本発明の好適な実施形態について説明したが、本発明の技術的範囲は上記実施形態に記載の範囲には限定されない。上記実施形態には、多様な変更又は改良を加えることが可能である。
【００３８】
例えば、ラッチアーム３１の一端側が回動自在に接続する調整アーム２１の中間位置については、図示した位置に限られるものではなく、調整アーム２１の両端部以外の位置であれば、扉の形状や設置条件等に応じて任意の構成を採用することが可能である。
【００３９】
また、本実施形態では、扉を引く側から見て左方向に先閉扉４２が、右方向に後閉扉４１が配置された場合の２枚扉に対して扉閉鎖順位調整器を設置した場合について例示して説明したが、本発明に係る扉閉鎖順位調整器は、先閉扉４２と後閉扉４１が上述した本実施形態の場合と逆に取り付けられている場合であっても適用が可能である。そのような場合には、本発明に係る扉閉鎖順位調整器を本実施形態の場合とは反対に裏返して上枠１０に設置すれば良い。
【００４０】
その様な変更又は改良を加えた形態も本発明の技術的範囲に含まれ得ることが、特許請求の範囲の記載から明らかである。
【図面の簡単な説明】
【００４１】
【図１】本実施形態に係る扉閉鎖順位調整器の設置状態を例示する外観上面図であり、２枚の扉が開放されて調整アームが突出状態となっている場合を示している。
【図２Ａ】２枚の扉が閉鎖された状態における本実施形態に係る扉閉鎖順位調整器の設置状態を例示する外観上面図である。
【図２Ｂ】図２Ａで示す本実施形態に係る扉閉鎖順位調整器の外観正面図である。
【図３Ａ】本実施形態に係る扉閉鎖順位調整器の調整状態を例示する図である。
【図３Ｂ】本実施形態に係る扉閉鎖順位調整器の別の調整状態を例示する図である。
【図３Ｃ】本実施形態に係る扉閉鎖順位調整器のさらに別の調整状態を例示する図である。
【符号の説明】
【００４２】
１０  上枠、１１  ベース、１２  軸体、１３  取付用孔、１４  係止ピン、２１  調整アーム、２２  ローラ、３１  ラッチアーム、３２  弾性部材、３３  案内孔、３３ａ  長孔、３３ｂ  係止孔、３４  衝撃吸収部材、３５  位置調整機構、３６  ラッチアーム支点軸、３７  スライドコマ、３８  調整ねじ、３９  止め輪、４１  後閉扉、４２  先閉扉。
【図１】
0004648840.tif 000002
【図２Ａ】
0004648840.tif 000003
【図２Ｂ】
0004648840.tif 000004
【図３Ａ】
0004648840.tif 000005
【図３Ｂ】
0004648840.tif 000006
【図３Ｃ】
0004648840.tif 000007